(57)【要約】【課題】無線端末が同一のデバイスネームであってもユーザが容易に無線端末を識別して正確にペアリングを行うことのできる無線通信装置を提供する。【解決手段】本発明の無線通信装置２は、自装置の位置情報を取得する位置情報取得部２１と、無線通信可能な他の無線端末を検索する検索部２２と、無線端末の端末名に無線端末の位置情報が付加されたデバイスネーム情報を取得する情報取得部２３と、無線端末と自装置との間の相対位置を演算する相対位置演算部２４と、相対位置に基づいて無線端末の位置関係を視覚的に判別可能に表示する表示制御部２５と、表示された無線端末の中からペアリング対象を選択するための選択操作を受け付ける操作処理部２６と、選択された無線端末を無線通信のペアリング対象として登録する登録部２７とを備えている。【選択図】図２
2013247428.tif 000002
【特許請求の範囲】
【請求項１】
自装置の位置情報を取得する位置情報取得部と、
無線通信可能な他の無線端末を検索する検索部と、
前記検索部によって検索された無線端末から、前記無線端末の端末名に前記無線端末の位置情報が付加されたデバイスネーム情報を取得する情報取得部と、
前記デバイスネーム情報から前記無線端末の位置情報を取得し、前記無線端末の位置情報と前記自装置の位置情報とに基づいて前記無線端末と前記自装置との間の相対位置を演算する相対位置演算部と、
前記相対位置に基づいて前記無線端末の位置関係を視覚的に判別可能に表示する表示制御部と、
前記表示制御部によって表示された前記無線端末の中から、無線通信のペアリング対象として選択するための選択操作を受け付ける操作処理部と、
前記操作処理部によって選択された前記無線端末を、無線通信のペアリング対象として登録する登録部と
を備えたことを特徴とする無線通信装置。
【請求項２】
前記相対位置演算部は、前記デバイスネーム情報が構成する文字列のうち、前記無線端末の端末名に付加された位置情報より、前記無線端末の位置情報を取得することを特徴とする請求項１に記載の無線通信装置。
【請求項３】
自装置の位置情報を取得する位置情報取得ステップと、
無線通信可能な他の無線端末を検索する検索ステップと、
前記検索ステップによって検索された無線端末から、前記無線端末の端末名に前記無線端末の位置情報が付加されたデバイスネーム情報を取得する情報取得ステップと、
前記デバイスネーム情報から前記無線端末の位置情報を取得し、前記無線端末の位置情報と前記自装置の位置情報とに基づいて前記無線端末と前記自装置との間の相対位置を演算する相対位置演算ステップと、
前記相対位置に基づいて前記無線端末の位置関係を視覚的に判別可能に表示する表示制御ステップと、
前記表示制御ステップによって表示された前記無線端末の中から、無線通信のペアリング対象として選択するための選択操作を受け付ける操作処理ステップと、
前記操作処理ステップによって選択された前記無線端末を、無線通信のペアリング対象として登録する登録ステップと
を含むことを特徴とする無線通信装置のペアリング方法。
【請求項４】
自装置の位置情報を取得する位置情報取得ステップと、
無線通信可能な他の無線端末を検索する検索ステップと、
前記検索ステップによって検索された無線端末から、前記無線端末の端末名に前記無線端末の位置情報が付加されたデバイスネーム情報を取得する情報取得ステップと、
前記デバイスネーム情報から前記無線端末の位置情報を取得し、前記無線端末の位置情報と前記自装置の位置情報とに基づいて前記無線端末と前記自装置との間の相対位置を演算する相対位置演算ステップと、
前記相対位置に基づいて前記無線端末の位置関係を視覚的に判別可能に表示する表示制御ステップと、
前記表示制御ステップによって表示された前記無線端末の中から、無線通信のペアリング対象として選択するための選択操作を受け付ける操作処理ステップと、
前記操作処理ステップによって選択された前記無線端末を、無線通信のペアリング対象として登録する登録ステップと
を無線通信装置に実行させることを特徴とする無線通信装置のペアリングプログラム。
【発明の詳細な説明】
【技術分野】
【０００１】
本発明は、ブルートゥース機器などの無線端末でペアリングを行う際に、無線端末の位置を特定して正確にペアリングを行う無線通信装置のペアリング方法に関する。
【背景技術】
【０００２】
複数の無線端末がペアリング可能である場合において、複数の無線端末のうち所望の無線端末とのペアリングを行う場合、複数の無線端末を接続候補の一覧として表示し、ペアリング対象の無線端末を選択する技術が開示されている（特許文献１）。
【先行技術文献】
【特許文献】
【０００３】
【特許文献１】特開２０１１−１０１２３１号公報
【発明の概要】
【発明が解決しようとする課題】
【０００４】
しかしながら、上述した従来のペアリング方法では、同じ無線端末が複数あった場合には、一覧に同じ名前が表示されてしまうので、ユーザがペアリングしたい無線端末を正確に認識することができないという問題点があった。また、Ｍａｃアドレス等のデバイス固有ＩＤを表示することも考えられるが、その固有ＩＤがどの無線端末を示しているのか、ユーザには容易に判別できなかった。
【０００５】
そこで、本発明は、上述した実情に鑑みて提案されたものであり、ブルートゥース機器などの無線端末において、同一のデバイスネームであってもユーザが容易に無線端末を識別して正確にペアリングを行うことのできる無線通信装置、無線通信装置のペアリング方法及び無線通信装置のペアリングプログラムを提供することを目的とする。
【課題を解決するための手段】
【０００６】
上記した目的を達成するために、本発明に係る無線通信装置は、自装置の位置情報を取得する位置情報取得部と、無線通信可能な他の無線端末を検索する検索部と、前記検索部によって検索された無線端末から、前記無線端末の端末名に前記無線端末の位置情報が付加されたデバイスネーム情報を取得する情報取得部と、前記デバイスネーム情報から前記無線端末の位置情報を取得し、前記無線端末の位置情報と前記自装置の位置情報とに基づいて前記無線端末と前記自装置との間の相対位置を演算する相対位置演算部と、前記相対位置に基づいて前記無線端末の位置関係を視覚的に判別可能に表示する表示制御部と、前記表示制御部によって表示された前記無線端末の中から、無線通信のペアリング対象として選択するための選択操作を受け付ける操作処理部と、前記操作処理部によって選択された前記無線端末を、無線通信のペアリング対象として登録する登録部とを備えたことを特徴とする。
【０００７】
また、本発明に係る無線通信装置の相対位置演算部は、前記デバイスネーム情報が構成する文字列のうち、前記無線端末の端末名に付加された位置情報より、前記無線端末の位置情報を取得することを特徴とする。
【０００８】
さらに、本発明に係る無線通信装置のペアリング方法は、自装置の位置情報を取得する位置情報取得ステップと、無線通信可能な他の無線端末を検索する検索ステップと、前記検索ステップによって検索された無線端末から、前記無線端末の端末名に前記無線端末の位置情報が付加されたデバイスネーム情報を取得する情報取得ステップと、前記デバイスネーム情報から前記無線端末の位置情報を取得し、前記無線端末の位置情報と前記自装置の位置情報とに基づいて前記無線端末と前記自装置との間の相対位置を演算する相対位置演算ステップと、前記相対位置に基づいて前記無線端末の位置関係を視覚的に判別可能に表示する表示制御ステップと、前記表示制御ステップによって表示された前記無線端末の中から、無線通信のペアリング対象として選択するための選択操作を受け付ける操作処理ステップと、前記操作処理ステップによって選択された前記無線端末を、無線通信のペアリング対象として登録する登録ステップとを含むことを特徴とする。
【０００９】
また、本発明に係る無線通信装置のペアリングプログラムは、自装置の位置情報を取得する位置情報取得ステップと、無線通信可能な他の無線端末を検索する検索ステップと、前記検索ステップによって検索された無線端末から、前記無線端末の端末名に前記無線端末の位置情報が付加されたデバイスネーム情報を取得する情報取得ステップと、前記デバイスネーム情報から前記無線端末の位置情報を取得し、前記無線端末の位置情報と前記自装置の位置情報とに基づいて前記無線端末と前記自装置との間の相対位置を演算する相対位置演算ステップと、前記相対位置に基づいて前記無線端末の位置関係を視覚的に判別可能に表示する表示制御ステップと、前記表示制御ステップによって表示された前記無線端末の中から、無線通信のペアリング対象として選択するための選択操作を受け付ける操作処理ステップと、前記操作処理ステップによって選択された前記無線端末を、無線通信のペアリング対象として登録する登録ステップとを無線通信装置に実行させることを特徴とする。
【発明の効果】
【００１０】
本発明によれば、無線端末が同一のデバイスネームであってもユーザが容易に無線端末を識別して正確にペアリングを行うことができる。
【図面の簡単な説明】
【００１１】
【図１】本発明を適用した一実施形態に係る無線通信装置を含む無線通信システムの構成を示す図である。
【図２】本発明を適用した一実施形態に係る無線通信装置の構成を示すブロック図である。
【図３】本発明を適用した一実施形態に係る無線端末の構成を示すブロック図である。
【図４】本発明を適用した一実施形態に係るペアリング処理の無線端末側の処理手順を示すフローチャートである。
【図５】本発明を適用した一実施形態に係るペアリング処理の無線通信装置側の処理手順を示すフローチャートである。
【図６】本発明を適用した一実施形態に係るペアリング処理による処理結果の一例を示す図である。
【発明を実施するための形態】
【００１２】
以下、本発明を適用した一実施形態について図面を参照して説明する。
【００１３】
［無線通信システムの構成］
図１は本実施形態に係る無線通信装置を含む無線通信システムの構成を示すブロック図である。図１に示すように、本実施形態に係る無線通信システム１は、ペアリング処理を実行して他の無線端末との間で無線通信を行う無線通信装置２と、無線通信装置２の周辺に位置して無線通信が可能な無線端末３から構成されている。無線端末３は、単数であっても複数であってもよく、図１においては、一例として無線端末３Ａ〜３Ｃから構成されている例を示す。
【００１４】
無線通信装置２は、ブルートゥースを用いた無線通信が可能な情報通信端末であり、例えば携帯電話やスマートフォン、携帯型パソコン、ＰＤＡなど無線通信機能を有する電子機器を含んでいる。そして、無線通信装置２の装置前面には、ユーザに情報を表示するためのディスプレイで構成された表示部１４と、ユーザが押圧することによって操作を入力する操作部１６とを備えている。
【００１５】
無線端末３は、無線通信装置２と同一装置であり、ブルートゥースを用いた無線通信が可能な情報通信端末である。ただし、無線端末３は、無線通信装置２と異なる装置であってもよく、例えばヘッドセットやスピーカであってもよい。
【００１６】
次に、図２を参照して無線通信装置２の内部構成を説明する。図２に示すように、無線通信装置２は、ブルートゥースを用いた無線通信を行う無線通信ユニット１１と、自装置の位置を測位するＧＰＳセンサ１２と、無線端末３との間のペアリング処理を実行する制御部１３と、ユーザに情報を表示するためのディスプレイで構成された表示部１４と、ペアリング処理に必要な情報やその他の情報を格納する記憶部１５と、ユーザによる操作指示を入力する操作部１６とを備えている。
【００１７】
無線通信ユニット１１は、無線通信を行うことのできる装置であればよいが、ここではブルートゥースによる無線通信によって無線端末３と通信するものとして説明する。
【００１８】
ＧＰＳ(Global Positioning System)センサ１２は、人工衛星を利用して自装置の位置を測位するものであり、特に位置情報として自装置の緯度、経度、高度を取得している。
【００１９】
制御部１３は、ＣＰＵ、ＲＯＭ及びＲＡＭを含むマイクロコンピュータ等から構成され、オペレーティングシステムを含む各種のプログラムに従って処理を実行することにより、制御信号を生成して各部に供給し、これによって無線通信装置２を制御する。特に、本実施形態では特定のペアリングプログラムを実行することにより以下に示す位置情報取得部２１、検索部２２、情報取得部２３、相対位置演算部２４、表示制御部２５、操作処理部２６及び登録部２７として動作する。
【００２０】
表示部１４は、さまざまな画像やデータ、コンテンツを表示するためのディスプレイで構成され、タッチパネルで構成されている場合には操作部１６としても機能する。
【００２１】
記憶部１５は、例えば電気的に書換えや消去が可能な不揮発性メモリであるフラッシュメモリやＨＤＤ(Hard Disk Drive)等からなり、制御部１３で実行されるプログラムやデータを格納している。特に、本実施形態では、ＧＰＳセンサ１２で取得した自装置の位置情報を格納する。
【００２２】
操作部１６は、押圧することにより確定ボタンやその他の操作ボタンとして機能して、ユーザによる選択操作等を受け付ける。
【００２３】
また、制御部１３は、自装置の位置情報を取得する位置情報取得部２１と、無線通信可能な他の無線端末を検索する検索部２２と、検索部２２によって検索された無線端末から、無線端末の端末名に無線端末の位置情報が付加されたデバイスネーム情報を取得する情報取得部２３と、デバイスネーム情報から無線端末の位置情報を取得し、無線端末の位置情報と自装置の位置情報とに基づいて無線端末と自装置との間の相対位置を演算する相対位置演算部２４と、相対位置に基づいて無線端末の位置関係を視覚的に判別可能に表示する表示制御部２５と、表示制御部２５によって表示された無線端末の中から、無線通信のペアリング対象として選択するための選択操作を受け付ける操作処理部２６と、操作処理部２６によって選択操作が受け付けられた無線端末を、無線通信のペアリング対象として登録する登録部２７とを備えている。
【００２４】
ここで、位置情報取得部２１は、ＧＰＳセンサ１２で測位された自装置の位置情報を取得する。
【００２５】
検索部２２は、無線通信ユニット１１を制御して無線通信装置２の周辺に位置している他の無線端末３をスキャンする。
【００２６】
情報取得部２３は、検索部２２によるスキャンの結果、検出された他の無線端末３（図１においては無線端末３Ａ〜３Ｃ）から端末名やＭａｃアドレス等の情報を取得しており、本実施形態では特に端末名に無線端末の位置情報が付加されたデバイスネーム情報を取得する。
【００２７】
相対位置演算部２４は、デバイスネーム情報に付加された他の無線端末３の位置情報と、記憶部１５に格納されている自装置の位置情報とに基づいて、他の無線端末３と自装置との間の相対位置を演算する。
【００２８】
表示制御部２５は、相対位置演算部２４で算出された相対位置に基づいて、検索部２２により検索された他の無線端末３との位置関係が視覚的に判別可能となるように表示部１４に表示する。
【００２９】
操作処理部２６は、ユーザによって操作部１６が操作されると、その操作を受け付けて制御信号を生成しており、特に本実施形態ではユーザがペアリング対象となる他の無線端末３を選択するための選択操作を受け付ける。
【００３０】
登録部２７は、ユーザによってペアリング対象として選択された他の無線端末３とのペアリング登録処理を行う。
【００３１】
次に、図３を参照して無線端末３の構成を説明する。ただし、無線端末３を構成する無線通信ユニット１１、ＧＰＳセンサ１２、表示部１４、記憶部１５及び操作部１６は無線通信装置２と同一であり、制御部１３における機能を構成する各部が相違しているだけなので、制御部１３の構成のみを説明し、その他の各部の説明は省略する。
【００３２】
図３に示すように、制御部１３は、自端末の位置情報を取得する位置情報取得部３１と、自端末の端末名に自端末の位置情報を付加したデバイスネーム情報を生成する情報生成部３２と、無線通信装置２によるスキャンに応じてデバイスネーム情報を送信する情報送信部３３と、ペアリング許可の受信に応じて通信を許可する通信許可部３４とを備えている。
【００３３】
ここで、位置情報取得部３１は、ＧＰＳセンサ１２で測位された自端末の位置情報を取得する。
【００３４】
情報生成部３２は、位置情報取得部３１が取得した位置情報を、自端末の端末名にタグ情報として付加したデバイスネーム情報を生成する。
【００３５】
情報送信部３３は、無線通信ユニット１１により無線通信装置２によるスキャン信号が検出されると、そのスキャンに応じて情報生成部３２が生成したデバイスネーム情報を、無線通信ユニット１１を制御して無線通信装置２に送信する。
【００３６】
通信許可部３４は、無線通信装置２からのペアリング許可を受信したか否かを判定し、ペアリング許可を受信した場合には無線通信装置２との間の通信を許可する。
【００３７】
［ペアリング処理］
次に、本実施形態に係る無線通信装置２によるペアリング処理について説明する。このペアリング処理では、無線通信装置２がペアリング対象をスキャンして無線端末３のいずれか所望の端末を選択して登録する場合について説明する。
【００３８】
［無線端末側のペアリング処理］
まず、図４を参照して、ペアリング処理によって登録される側の無線端末３における処理を説明する。
【００３９】
ペアリング処理の開始とは、無線通信装置２が、その周辺に存在する無線端末３に対してペアリング要求を示す情報を送信し、無線端末３がペアリング要求を示す情報を受信し、その情報に基づいてペアリング処理を開始した場合である。したがって、ペアリング処理を開始する無線端末３とは、単数または複数の無線端末３が存在するうち、ペアリング処理可能な単数または複数の端末を指す。
【００４０】
図４に示すように、ペアリング処理が開始されると、ステップＳ１０１において無線端末３の位置情報取得部３１は、ＧＰＳセンサ１２により自端末の位置情報を取得する。
【００４１】
次に、ステップＳ１０２において、情報生成部３２は、端末名を示すデバイスネーム情報に、取得した位置情報を付加する。
【００４２】
ここで、デバイスネーム情報に対する位置情報の付加方法について説明する。情報生成部３２は、端末名に識別子としてタグ情報を付加することによって端末名に位置情報を付加している。例えば、以下のようなタグ情報を用意しておく。
【００４３】
「INFO-」：位置情報が始まることを示す。
【００４４】
「LAT+」：次に来る文字列が緯度の値を示す。「-」で緯度の値が終了することを示す。
【００４５】
「LON+」：次に来る文字列が経度の値を示す。「-」で経度の値が終了することを示す。
【００４６】
「ALT+」：次に来る文字列が高度の値を示す。「-」で高度の値が終了することを示す。
【００４７】
そして、情報生成部３２は、これらのタグ情報によって端末名に、無線端末が位置している緯度、経度、高度を付加することによってデバイスネーム情報を生成している。
【００４８】
例えば、端末名が「AAA」の場合には、デバイスネーム情報は「AAAINFO-LAT+緯度の値-LON+経度の値-ALT+高度の値-」となる。
【００４９】
こうしてデバイスネーム情報が生成されると、情報生成部３２はデバイスネーム情報を記憶部１５に格納しておく。
【００５０】
そして、ステップＳ１０３において情報送信部３３は、無線通信装置２によるスキャンが実行されると、デバイスネーム情報を記憶部１５から読み出して無線通信ユニット１１を制御して無線通信装置２に送信する。
【００５１】
その後、通信許可部３４は無線通信装置２からのペアリング許可の受信を待ち、ステップＳ１０４においてペアリング許可を受信したか否かを判定する。ここで、ペアリング許可を受信していない場合にはペアリング処理を終了し、ペアリング許可を受信した場合にはステップＳ１０５へ移行する。ステップＳ１０５では、通信許可部３４が無線通信装置２との間の通信を許可して無線端末３におけるペアリング処理を終了する。
【００５２】
［無線通信装置側のペアリング処理］
次に、図５を参照して、ペアリング処理によって登録する側の無線通信装置２における処理を説明する。
【００５３】
図５に示すように、ペアリング処理が開始されると、ステップＳ２０１において無線通信装置２の位置情報取得部２１は、ＧＰＳセンサ１２より自装置の位置情報を取得する。
【００５４】
そして、ステップＳ２０２において検索部２２はペアリング対象となる無線端末のスキャンを実行し、ステップＳ２０３では、情報取得部２３がこのスキャンに応じて送信されてきたデバイスネーム情報を受信したか否かを判定する。ここで、デバイスネーム情報を受信していない場合にはペアリング処理を終了し、デバイスネーム情報を受信した場合には、ステップＳ２０４に移行して情報取得部２３がデバイスネーム情報に位置情報が付加されているか否かを判定する。
【００５５】
情報取得部２３は、デバイスネーム情報の端末名にタグ情報として「INFO-」が付加されている場合には位置情報が付加されていると判定し、「LAT+」や「LON+」、「ALT+」等のタグ情報と「+」と「-」で挟まれた値を読み込み、無線端末の緯度、経度、高度を取得する。例えば、同じ端末名「AAA」の無線端末を二つスキャンした場合にデバイスネーム情報が
「AAAINFO-LAT+35.48-LON+139.65-ALT+81.54-」
「AAAINFO-LAT+35.47-LON+139.64-ALT+70.54-」
である場合には、情報取得部２３は二つの無線端末を、それぞれ「緯度：35.48、経度：139.65、高度：81.54の位置情報を持つAAAという端末」と「緯度：35.47、経度：139.64、高度：70.54の位置情報を持つAAAという端末」として認識する。したがって、無線通信装置２は、無線端末３との間に、位置情報を取得するために別途通信を確立しなくても無線端末３の位置を解析することが可能となる。
【００５６】
このようにしてステップＳ２０４において、デバイスネーム情報に位置情報が付加されているか否かを判定し、位置情報が付加されていない場合には、ステップＳ２０５に移行して表示制御部２５がデバイスネーム情報を受信した無線端末３を一覧にして表示部１４に表示する。このとき一覧には、端末名とともにＭａｃアドレスを表示する。
【００５７】
一方、ステップＳ２０４においてデバイスネーム情報に位置情報が付加されている場合には、ステップＳ２０６に移行して、相対位置演算部２４が無線端末３と無線通信装置２との間の相対位置を演算する。
【００５８】
相対位置の演算方法としては、例えば緯度及び経度の情報から無線端末３Ａ〜３Ｃと無線通信装置２との間の距離を以下の式（１）で算出する。
【００５９】
距離＝sin(latA*180/π) *sin(latB*180/π) +
cos(latA*180/π)*cos(latB*180/π)*cos((lonA - lonB)*180/π)      （１）
ただし、latAは無線通信装置２の緯度、lonAは無線通信装置２の経度、latBは無線端末の緯度、lonBは無線端末の経度である。
【００６０】
また、精度の高い距離や方位を算出したい場合には、国土地理院が公開している計算方法を用いてもよい。この方法では平面直角座標ｘ、ｙから測地線長及び方向角を求めることができる。
【００６１】
測地線長Ｓは、以下の式から求めることができる。
【数１】
2013247428.tif 000003
【００６２】
また、方向角Ｔ１（測点１における測点２の方向角）、Ｔ２（測点２における測点１の方向角）は、以下の式で求めることができる。
【数２】
2013247428.tif 000004
【００６３】
ただし、ｘ１は測点１のｘ座標、ｙ１は測点１のｙ座標、ｘ２は測点２のｘ座標、ｙ２は測点２のｙ座標、Ｒ０は平均曲率半径（引数はψ０）、ψ０は座標系の原点の緯度、ｍ０は座標系の原点における縮尺係数（ｍ０＝０．９９９９）、ａは長半径、ｅは第一離心率である。測点１と測点２をそれぞれ無線通信装置２と無線端末３Ａ〜３Ｃとすれば、相対位置を算出することができる。
【００６４】
こうして相対位置が算出されると、ステップＳ２０７において、表示制御部２５が相対位置に基づいて無線端末３の位置関係を視覚的に判別可能となるように表示部１４に表示する。
【００６５】
例えば、図６に示すように無線通信装置２の周辺に無線端末３Ａ〜３Ｄが位置している場合には、無線通信装置２の表示部１４の画面上には自装置を表示するとともに、算出した相対位置に基づいて無線端末３Ａ〜３Ｄの位置を表示する。これにより、無線端末３Ａ〜３Ｄの端末名が同じであったとしても、ユーザはそれぞれの無線端末を表示画面上において区別して認識することができる。
【００６６】
こうしてステップＳ２０７において無線端末の位置が表示部１４に表示されるか、あるいはステップＳ２０５において一覧として表示部１４に表示されると、ステップＳ２０８において操作処理部２６がユーザによるペアリング対象となる無線端末の選択を待ち、選択されたか否かを判定する。そして、ペアリング対象が選択されない場合にはペアリング処理を終了し、ペアリング対象が選択された場合にはステップＳ２０９へ移行して登録部２７がペアリング対象として選択された無線端末を記憶部１５に登録する。そして、登録された無線端末に対して、登録部２７が無線通信ユニット１１を制御してペアリング許可を送信して本実施形態に係るペアリング処理を終了する。
【００６７】
以上詳細に説明したように、本実施形態に係る無線通信装置２によれば、無線端末３の端末名に位置情報が付加されたデバイスネーム情報を取得し、無線端末３の位置情報と自装置の位置情報とに基づいて無線端末３と自装置との間の相対位置を演算して無線端末３の位置関係を視覚的に判別可能に表示するので、複数の無線端末３が同一のデバイスネームであってもユーザは容易に複数の無線端末３を識別して正確にペアリングを行うことができる。
【００６８】
また、本実施形態に係る無線通信装置２によれば、デバイスネーム情報が構成する文字列のうち、無線端末の端末名に識別子として付加されたタグ情報を無線端末の位置情報として取得するので、無線端末３の位置情報を容易に取得することができ、これによって無線通信装置２は無線端末３との間に位置情報を取得するために別途通信を確立しなくても無線端末３の位置を解析することができる。
【００６９】
なお、上述の実施の形態は本発明の一例である。このため、本発明は、上述の実施形態に限定されることはなく、この実施形態以外の形態であっても、本発明に係る技術的思想を逸脱しない範囲であれば、設計などに応じて種々の変更が可能であることは勿論である。上記実施例においては、ペアリングを行う無線通信規格の例として、Ｂｌｕｅｔｏｏｔｈ（登録商標）を用いた例を説明したが、これに限らず、例えばＡＮＴ方式であってもよい。
【符号の説明】
【００７０】
１  無線通信システム
２  無線通信装置
３  無線端末
１１  無線通信ユニット
１２  ＧＰＳセンサ
１３  制御部
１４  表示部
１５  記憶部
１６  操作部
２１、３１  位置情報取得部
２２  検索部
２３  情報取得部
２４  相対位置演算部
２５  表示制御部
２６  操作処理部
２７  登録部
３２  情報生成部
３３  情報送信部
３４  通信許可部
【図１】
2013247428.tif 000005
【図２】
2013247428.tif 000006
【図３】
2013247428.tif 000007
【図４】
2013247428.tif 000008
【図５】
2013247428.tif 000009
【図６】
2013247428.tif 000010